(57)【要約】本発明は、データチャネルを介して送信エンティティから受信エンティティにデータを再送するためにＨＡＲＱ再送プロトコルが使用される無線通信システムにおいてデータ再送の送信タイミングを制御する方法に関する。本発明は、更に、本発明を用いる基地局と、移動端末と、通信システムとに関する。干渉が危機的な状況において同期再送から生ずる問題を克服するために、本発明は、新ＨＡＲＱプロトコルに追加フィードバックシグナリングを導入する。この新しいＮＡＣＫ−Ｓは、再送を同期送信することを停止し、受信エンティティから再送に対するスケジューリング割り当てを待つよう送信エンティティに示す。
2007522715.tif 000002
【特許請求の範囲】
【請求項１】
データチャネルを介して送信エンティティ（１０３）から受信エンティティ（２０４、２０５）にデータを再送するためにＨＡＲＱプロトコルが使用される無線通信システムにおいて再送モードを制御する方法であって、
前記受信エンティティ（２０４、２０５）は、
前記送信エンティティ（１０３）からデータパケットを受信し（１４０２）、
前記データパケットの受信が成功か否かを判断し（１４０３）、
前記データパケットの受信が成功と判断された場合に、
干渉レベルが所定の閾値干渉レベル以上であるか否かを判断し（１４０５）、
前記送信エンティティ（１０３）にフィードバックメッセージ（ＮＡＣＫ、ＮＡＣＫ−Ｓ）を送信する（１４０６、１４０７）、ステップを実行し、
前記フィードバックメッセージ（ＮＡＣＫ−Ｓ）は、前記判断される干渉レベルが前記所定の閾値干渉レベル以上である場合に、前記受信データパケットの再送データパケットがスケジューリングされることを前記送信エンティティ（１０３）に示し（１４０７）、
前記フィードバックメッセージ（ＮＡＣＫ）は、前記判断される干渉レベルが前記所定の閾値干渉レベル未満である場合に、前記フィードバックメッセージを受信してから所定期間後に前記受信データパケットに対する再送データパケットを送信することを前記送信エンティティ（１０３）に示す（１４０６）、方法。
【請求項２】
前記送信エンティティ（１０３）を含む複数の送信エンティティのデータ送信をスケジューリングするステップと、
前記干渉レベルが前記所定の閾値干渉レベル以上である場合に、前記複数の送信エンティティからの新規データ送信のスケジューリングを停止するステップと、
を更に備える、請求項１記載の方法。
【請求項３】
前記スケジューリングのステップは、前記干渉レベルが前記所定の干渉レベル未満に低下すると継続される、請求項２記載の方法。
【請求項４】
前記送信エンティティ（１０３）が送信時間間隔において送信することができるデータ量を決定する、前記送信エンティティ（１０３）の送信フォーマットコンビネーションサブセットを制御するステップと、
前記判断される干渉レベルが前記所定の閾値干渉レベル以上である場合に、前記送信エンティティ（１０３）の前記送信フォーマットコンビネーションサブセットを制限するステップと、
を更に備える、請求項１から請求項３のいずれかに記載の方法。
【請求項５】
前記フィードバックメッセージが、前記再送がスケジューリングされることを示す場合に、前記送信エンティティ（１０３）に前記再送データパケットの送信に対するリソースを割り当てるために前記送信エンティティ（１０３）にスケジューリング割り当て（ＳＡ）を送信するステップ（１４０８）を更に備える、請求項１から請求項５のいずれかに記載の方法。
【請求項６】
前記スケジューリング割り当て（ＳＡ）はスケジューリング関連制御チャネルを介して送信される、請求項５記載の方法。
【請求項７】
前記スケジューリング割り当て（ＳＡ）は、前記フィードバックメッセージ（ＮＡＣＫ−Ｓ）を送信してから所定の時間間隔内に送信される、請求項６記載の方法。
【請求項８】
前記受信データパケット（ＡＣＫ）の受信が成功であること、または、前記フィードバックメッセージ（ＮＡＣＫ）を受信してから所定期間後に再送データパケットを前記受信エンティティ（２０４、２０５）に送信することを示すフィードバックメッセージを前記送信エンティティ（１０３）に送信するステップと、
前記フィードバックメッセージ（ＡＣＫ、ＮＡＣＫ）に応答して、前記送信エンティティ（１０３）から前記受信データパケットに対するスケジューリング要求（ＳＲ）を受信するステップと、
前記スケジューリング要求（ＳＲ）に応答して、前記受信データパケットに対する再送データパケットに対するスケジューリング割り当て（ＳＡ）を前記送信エンティティ（１０３）に送信するステップと、
前記再送データパケットを受信するステップと、を更に備える請求項１から請求項７のいずれかに記載の方法。
【請求項９】
フィードバックメッセージは、データパケットの受信の成功または失敗を、一つの制御チャネルを介して送信されることを示す、請求項１から請求項８のいずれかに記載の方法。
【請求項１０】
前記フィードバックメッセージの情報は、スケジューリング関連制御情報と統合され、一緒に符号化される、請求項９記載の方法。
【請求項１１】
前記再送データパケットがスケジューリング（ＮＡＣＫ−Ｓ）されることを示す前記フィードバックメッセージは、前記受信データパケットの受信が成功であること、または、所定期間後に再送データパケットを送信することを示すフィードバックメッセージ（ＡＣＫ、ＮＡＣＫ）をシグナリングするために使用されるＯＶＳＦ符号とは異なるＯＶＳＦ符号を用いてシグナリングされる、請求項１から請求項８のいずれかに記載の方法。
【請求項１２】
データチャネルを介して送信エンティティ（１０３）から受信エンティティ（２０４、２０５）にデータを再送するためにＨＡＲＱプロトコルが使用される無線通信システムにおいてデータ再送の再送モードを制御する方法であって、前記送信エンティティ（１０３）は、
前記受信エンティティ（２０４、２０５）にデータパケットを送信し（１４０１）、
前記送信したデータパケットに対する再送データパケットがスケジューリングされること、または、前記フィードバックメッセージを受信してから所定期間後に前記受信エンティティ（２０４、２０５）に前記再送データパケットが送信されることを示すフィードバックメッセージ（ＮＡＣＫ、ＮＡＣＫ−Ｓ）を、前記受信エンティティ（２０４、２０５）から受信し（１４０９）、
前記フィードバックメッセージを受信してから所定期間後に、または、前記フィードバックメッセージ（ＮＡＣＫ、ＮＡＣＫ−Ｓ）に応答してスケジューリングされた時点で、前記受信エンティティ（２０４、２０５）に再送データパケットを送信する、ステップを実行する方法。
【請求項１３】
前記フィードバックメッセージ（ＮＡＣＫ−Ｓ）が、前記再送がスケジューリングされることを示す場合に、前記送信したデータパケットに関連する再送に対するスケジューリング割り当てについてスケジューリング関連制御チャネルを監視するステップを更に備える、請求項１２記載の方法。
【請求項１４】
前記スケジューリング関連制御チャネルは、前記フィードバックメッセージを受信してから所定の時間間隔にわたって監視される、請求項１３記載の方法。
【請求項１５】
前記送信したデータパケットの再送に関連するスケジューリング割り当てを受信するステップ（１４１３）を更に備える、請求項１３または請求項１４記載の方法。
【請求項１６】
前記受信エンティティ（２０４、２０５）に前記送信したデータパケットを、前記受信したスケジューリング割り当て（ＳＡ）に示される時点に再送するステップ（１４１４）を更に備える、請求項１５記載の方法。
【請求項１７】
前記受信したフィードバックメッセージによって示される場合に、前記フィードバックメッセージ（ＮＡＣＫ）を受信してから所定期間後に前記受信エンティティ（２０４、２０５）に再送データパケットを送信するステップを更に備える、請求項１２から請求項１６に記載の方法。
【請求項１８】
前記所定の時間間隔にスケジューリング割り当て（ＳＡ）が受信されなかった場合に、前記受信エンティティ（２０４、２０５）にスケジューリング要求（ＳＲ）を送信するステップを更に備える、請求項１４から請求項１７のいずれかに記載の方法。
【請求項１９】
前記スケジューリング要求（ＳＲ）の送信に応答して、前記受信エンティティ（２０４、２０５）からスケジューリング割り当て（ＳＡ）を前記スケジューリング関連制御チャネルを介して受信するステップと、
前記受信エンティティ（２０４、２０５）に前記送信したデータパケットを、前記スケジューリング割り当て（ＳＡ）によって示される時点に再送するステップと、を更に備える請求項１８記載の方法。
【請求項２０】
前記フィードバックメッセージ（ＡＣＫ）が前記データパケットの受信成功を示す場合に、前記送信したデータパケットに対するスケジューリング割り当て（ＳＡ）に対する再送に関連する制御チャネルを監視するステップを更に備える、請求項１２から請求項１９のいずれかに記載の方法。
【請求項２１】
前記送信したデータパケットに対するスケジューリング割り当て（ＳＡ）を受信するステップと、
前記受信エンティティ（２０４、２０５）に前記送信したデータパケットを、前記スケジューリング割り当て（ＳＡ）によって示される時点に再送するステップと、を更に備える請求項２０記載の方法。
【請求項２２】
前記送信したデータパケットに対する再送データパケットがスケジューリングされることを示すフィードバックメッセージ（ＮＡＣＫ−Ｓ）の受信に応答して所定の時間間隔にわたってデータの自発送信およびスケジューリング要求（ＳＲ）を停止するステップを更に備える、請求項１２から請求項２１のいずれかに記載の方法。
【請求項２３】
データチャネルを介して移動端末（１０３）から基地局（２０４、２０５）にデータを再送するためにＨＡＲＱプロトコルが使用される無線通信システムにおける基地局（２０４、２０５）であって、
前記移動端末（１０３）からデータパケットを受信（１４０２）する受信手段と、
前記受信データパケットの受信が成功か否かを判断（１４０３）し、前記データパケットの受信が成功でないと判断した場合に、干渉レベルが所定の閾値干渉レベル以上であるか否かを判断（１４０５）するよう構成される処理手段と、
前記処理手段が前記データパケットの受信が成功でないと判断した場合に、前記移動端末（１０３）にフィードバックメッセージ（ＮＡＣＫ、ＮＡＣＫ−Ｓ）を送信（１４０６、１４０７）する送信手段と、を備え、
前記フィードバックメッセージ（ＮＡＣＫ−Ｓ）は、前記判断される干渉レベルが前記所定の閾値干渉レベル以上である場合に、再送がスケジューリングされることを前記移動端末（１０３）に示し（１４０７）、
前記フィードバックメッセージ（ＮＡＣＫ）は、前記判断される干渉レベルが前記所定の閾値干渉レベル未満である場合に、前記フィードバックメッセージを受信してから所定期間後に再送データパケットを前記基地局（２０４、２０５）に送信することを前記移動端末（１０３）に示す（１４０６）、基地局（２０４、２０５）。
【請求項２４】
請求項１から請求項１１のいずれかに記載の方法を実行するよう構成される、請求項２３記載の基地局（２０４、２０５）。
【請求項２５】
データチャネルを介して移動端末（１０３）から基地局（２０４、２０５）にデータを再送するためにＨＡＲＱプロトコルが使用される無線通信システムにおける移動端末（１０３）であって、
前記受信エンティティ（２０４、２０５）にデータパケットを送信（１４０１）する送信手段と、
前記受信エンティティ（２０４、２０５）からフィードバックメッセージ（ＮＡＣＫ、ＮＡＣＫ−Ｓ）を受信（１４０９）する受信手段と、
前記フィードバックメッセージ（ＮＡＣＫ、ＮＡＣＫ−Ｓ）が、前記送信したデータパケットに対する再送データパケットがスケジューリングされること、または、前記フィードバックメッセージ（ＮＡＣＫ、ＮＡＣＫ−Ｓ）を受信してから所定期間後に前記受信エンティティ（２０４、２０５）に前記再送データパケットを送信すべきであることを示すか否かを判断（１４１０）する処理手段と、を備え、
前記送信手段は、前記フィードバックメッセージを受信してから所定期間後に、または、スケジューリングされた時点で、前記受信エンティティ（２０４、２０５）に前記送信したデータパケットに対する再送データパケットを送信するよう構成され、
前記送信手段は、前記フィードバックメッセージ（ＮＡＣＫ、ＮＡＣＫ−Ｓ）に応答して動作する、移動端末（１０３）。
【請求項２６】
前記基地局（２０４、２０５）は、請求項１２から請求項２２のいずれかに記載の方法を実行するよう構成される、請求項２５記載の移動端末（１０３）。
【請求項２７】
データチャネルを介して移動端末（１０３）から基地局（２０４、２０５）にデータを再送するためにＨＡＲＱプロトコルが使用される無線通信システムであって、
少なくとも一つの請求項２３または請求項２４記載の基地局（２０４、２０５）と、少なくとも一つの請求項２５または請求項２６記載の移動端末（１０３）とを備える、無線通信システム。
【発明の詳細な説明】
【技術分野】
【０００１】
本発明は、データチャネルを介して送信エンティティから受信エンティティにデータを再送するためにＨＡＲＱ再送プロトコルが使用される無線通信システムにおいてデータ再送の再送モードを制御する方法に関する。本発明は、更に、本発明を用いる基地局、移動局および通信システムに関する。
【背景技術】
【０００２】
Ｗ−ＣＤＭＡ（広帯域符号分割多元接続）は、第３世代無線移動体通信システムとしての使用に標準化されたＩＭＴ−２０００（国際移動体通信）の無線インタフェースであり、柔軟且つ効率的な方法で音声サービスやマルチメディア移動体通信サービス等の各種サービスを提供する。日本、欧州、米国および他国における標準化機構は、Ｗ−ＣＤＭＡについての共通の無線インタフェース仕様を作成するべく、第３世代パートナーシッププロジェクト（３ＧＰＰ）と呼ばれるプロジェクトを合同で組織した。
【０００３】
ＩＭＴ−２０００の標準化欧州版は、一般的にＵＭＴＳ（ユニバーサル移動体通信システム）と呼ばれる。ＵＭＴＳの仕様の最初のリリースは、１９９９年（リリース９９）に発行された。一方、リリース４およびリリース５においては、標準に対する幾つかの改良が３ＧＰＰによって標準化され、リリース６の範囲においては、更なる改良に関する議論が行われている。
【０００４】
ダウンリンクおよびアップリンクの個別チャネル（ＤＣＨ）、並びにダウンリンク共有チャネル（ＤＳＣＨ）は、リリース９９およびリリース４において定められている。その翌年以降、開発者らは、マルチメディアサービスまたはサービス全般を提供するために、高速非対称アクセスが実行されなくてはならないことを認識した。リリース５では、高速ダウンリンクパケットアクセス（ＨＳＤＰＡ）が導入されている。この新しい高速ダウンリンク共有チャネル（ＨＳ−ＤＳＣＨ）は、ＵＭＴＳ無線アクセスネットワーク（ＲＡＮ）から、ＵＭＴＳ仕様においてユーザ機器と呼ばれる通信端末までのダウンリンク高速アクセスをユーザに提供する。
【０００５】
ハイブリッドＡＲＱ方式
非リアルタイムサービスの誤り検出の最も一般的な技法は、前方誤り訂正（ＦＥＣ）と組み合わせた自動再送要求（ＡＲＱ）方式、いわゆるハイブリッドＡＲＱに基づく。巡回冗長検査（ＣＲＣ）が誤りを検出した場合、受信器は追加ビットまたは新しいデータパケットを送るよう送信器に要求する。別の既存の方式より、ストップアンドウェイト（ＳＡＷ）および選択再送（ＳＲ）連続ＡＲＱが移動体通信において最も頻繁に使用されている。
【０００６】
データユニットは、送信前に符号化される。再送されるビットによって、三つの異なるタイプのＡＲＱが定められる。
【０００７】
ＨＡＲＱタイプＩでは、受信した誤りのあるデータパケット、いわゆるＰＤＵ（パケットデータユニット）は廃棄され、当該ＰＤＵの新しいコピーが別途再送、復号化される。当該ＰＤＵの古いバージョンおよび新しいバージョンが合成されることはない。ＨＡＲＱタイプＩＩを用いると、再送される必要のある誤りのあるＰＤＵは廃棄されず、後の復号化のために送信器により供給される幾らかの増加冗長性（incremental redundancy）ビットと合成される。再送ＰＤＵは、より高い符号化率を有することがあり、受信器で記憶された値と合成される。つまり、再送毎に僅かに冗長性が加えられる。
【０００８】
最後に、ＨＡＲＱタイプＩＩＩはタイプＩＩと略同じパケット再送方式であるが、全ての再送ＰＤＵが自己復号化可能である。つまり、ＰＤＵは、前のＰＤＵと合成されることなく復号化可能であることを意味する。複数のＰＤＵが極度に損傷を受けて再利用可能な情報が殆どない場合、自己復号化可能なパケットを有利に使用することができる。
【０００９】
チェイス合成を用いる場合、再送パケットは同一のシンボルを有する。この場合、多数の受信パケットはシンボル毎に、またはビット毎に合成される（非特許文献１参照）。これら合成された値はそれぞれのＨＡＲＱ処理のソフトバッファに記憶される。
【００１０】
パケットスケジューリング
パケットスケジューリングは、共有媒体への参入を許可されたユーザに対して送信機会および送信フォーマットを割り当てるのに使用される無線リソース管理アルゴリズムである。スケジューリングは、パケットベースの移動体無線ネットワークにおいて、スループット／容量を最大化するために適応変調符号化と組み合わせて使用することができる（例えば望ましいチャネル条件のユーザに送信機会を割り当てることにより）。ＵＭＴＳにおけるパケットデータサービスは、ストリーミングサービスにも使用され得るが、双方向および背景のトラフィッククラスに対しても適用可能である。双方向クラスおよび背景クラスに属するトラフィックは、非リアルタイム（ＮＲＴ）トラフィックとして扱われ、パケットスケジューラによって制御される。パケットスケジューリング方法は下記によって特徴付けられる。
【００１１】
●スケジューリング期間／頻度：ユーザが時間的に前もってスケジューリングされる期間
●サービスの順番：ユーザがサービスを受ける順番（例えば、ランダムな順番（ラウンドロビン）またはチャネル品質（Ｃ／Ｉまたはスループットに基づく）に従う）
●割り当て方法：リソースを割り当てる基準（例えば、キューに入れられた全てのユーザに対し、割り当て間隔当たり同じデータ量、または同じ電力／符号／時間リソース）
【００１２】
アップリンクのパケットスケジューラは、３ＧＰＰ  ＵＭＴＳ  Ｒ９９／Ｒ４／Ｒ５では無線ネットワークコントローラ（ＲＮＣ）とユーザ機器との間で分配される。アップリンク上では、異なるユーザによって共有されるべきエアインタフェースリソースは、ノードＢ（Node B）での合計受信電力であり、従って、スケジューラのタスクは電力をユーザ機器間で割り当てることである。現在のＵＭＴＳ  Ｒ９９／Ｒ４／Ｒ５仕様において、ＲＮＣは、各ユーザ機器に異なるトランスポートフォーマット（変調方式、符号化率等）のセットを割り当てることでアップリンク送信中にユーザ機器が送信することができる最大レート／電力を制御する。
【００１３】
このようなＴＦＣＳ（トランスポートフォーマットコンビネーションセット）の確立および再設定は、ＲＮＣとユーザ機器との間の無線リソース制御（ＲＲＣ）メッセージングを用いて実現される。ユーザ機器は、割り当てられたトランスポートフォーマットコンビネーションの中から、自身の状態、例えば、利用可能な電力およびバッファ状態に基づいて自発的に（autonomously）選択することができる。現在のＵＭＴＳ  Ｒ９９／Ｒ４／Ｒ５仕様では、ユーザ機器のアップリンク送信に課せられる時間の制御はない。スケジューラは、例えば、送信時間間隔（transmission time interval）に基づいて動作することができる。
【００１４】
ＵＭＴＳ構成
ユニバーサル移動体通信システム（ＵＭＴＳ）の高レベルＲ９９／４／５構成は図１に示される（http://www.3gpp.orgから入手可能な非特許文献２参照）。ネットワーク要素は、コアネットワーク（ＣＮ）１０１と、ＵＭＴＳ地上無線アクセスネットワーク（ＵＴＲＡＮ）１０２と、ユーザ機器（ＵＥ）１０３とに機能的にグループ化される。ＵＴＲＡＮ１０２は、全ての無線関連機能を取り扱う役割を担い、ＣＮ１０１は外部ネットワークに呼およびデータ接続をルーティングする役割を担う。これらネットワーク要素の相互接続は、オープンインタフェース（Ｉｕ、Ｕｕ）によって定められる。ＵＴＭＳシステムがモジュール式であるため、同じタイプのネットワーク要素を数個有することが可能であることに注意する。
【００１５】
図２は、ＵＴＲＡＮの現在の構成を例示する。幾つかの無線ネットワークコントローラ（ＲＮＣ）２０１、２０２がＣＮ１０１に接続されている。各ＲＮＣ２０１、２０２は、一つのあるいは幾つかの基地局（ノードＢ）２０３、２０４、２０５、２０６を制御し、これらはユーザ機器と通信する。幾つかの基地局を制御するＲＮＣは、当該基地局に対するコントローリングＲＮＣ（Ｃ−ＲＮＣ）と呼ばれる。Ｃ−ＲＮＣを伴って制御される基地局のセットは、無線ネットワークサブシステム（ＲＮＳ）２０７、２０８と呼ばれる。ユーザ機器とＵＴＲＡＮとの間の各接続に対して、一方のＲＮＳがサービングＲＮＳ（Ｓ−ＲＮＳ）となる。Ｓ−ＲＮＳはコアネットワーク（ＣＮ）１０１とのいわゆるＩｕ接続を維持する。図３に示すように、必要な場合には、ドリフトＲＮＳ（Ｄ−ＲＮＳ）３０２が、無線リソースを供給することでサービングＲＮＳ（Ｓ−ＲＮＳ）３０１をサポートする。それぞれのＲＮＳは、サービングＲＮＣ（Ｓ−ＲＮＣ）、およびドリフトＲＮＣ（Ｄ−ＲＮＣ）と呼ばれる。Ｃ−ＲＮＣおよびＤ−ＲＮＣは同一であることが可能であり、またしばしばそうであるため、Ｓ−ＲＮＣまたはＲＮＣの略記が使用される。
【００１６】
拡張アップリンク個別チャネル（Ｅ−ＤＣＨ）
個別トランスポートチャネル（ＤＴＣＨ）のアップリンクエンハンスメントは、現在３ＧＰＰ技術仕様グループＲＡＮによって研究されている（http://www.3gpp.orgから入手可能な非特許文献３参照）。ＩＰベースのサービスの使用がより重要になるため、ＲＡＮの受信可能範囲（coverage）およびスループットを改善し、アップリンク個別トランスポートチャネルの遅延を減少させる要求が高まってきている。ストリーミング、双方向および背景のサービスは、この拡張アップリンクから得られるであろう。
【００１７】
一つの拡張は、ノードＢ制御（Node B controlled）スケジューリングと関連して適応変調符号化方式（ＡＭＣ）を使用することであり、従って、Ｕｕインタフェースの拡張である。既存のＲ９９／Ｒ４／Ｒ５システムでは、アップリンクの最大データレート制御はＲＮＣにある。ノードＢにおけるスケジューラを再配置することにより、ＲＮＣとノードＢとの間のインタフェース上でのシグナリングにより生ずる待ち時間が縮小され、それにより、スケジューラはアップリンク負荷の時間的な変化により迅速に応答することができる。これにより、ＲＡＮとのユーザ機器の通信における全体的な待ち時間が縮小される。従って、ノードＢ制御スケジューリングは、アップリンク負荷が減少した際にはより高いデータレートを迅速に割り当てて、アップリンク負荷が増加した際にはアップリンクデータレートを制限することで、アップリンク干渉をより良く制御し、ノイズ上昇の変動を平滑にすることができる。受信可能範囲およびセルスループットは、アップリンク干渉をより良く制御することで改善される。
【００１８】
アップリンク上の遅延を減少させるために考えられる別の技法は、他のトランスポートチャネルと比べて短いＴＴＩ（送信時間間隔）の長さをＥ−ＤＣＨに導入することである。Ｅ−ＤＣＨでの使用に関して、現在、２ｍｓの送信時間間隔の長さが調べられており、他のチャネルでは、一般に、１０ｍｓの送信時間間隔が使用されている。ＨＳＤＰＡにおける重要な技術の一つであるハイブリッドＡＲＱも拡張アップリンク個別チャネルのために考慮されている。ノードＢとユーザ機器との間のハイブリッドＡＲＱプロトコルは、誤りのある受信データユニットを迅速に再送することを可能にし、従って、ＲＬＣ（無線リンク制御）再送の回数および関連する遅延を減少させる。これにより、エンドユーザが経験するサービスの品質が改善され得る。
【００１９】
上述の拡張をサポートするために、以下ではＭＡＣ−ｅｕと呼ばれる新しいＭＡＣサブレイヤが導入される（非特許文献４参照）。以下により詳細に説明する新しいサブレイヤのエンティティは、ユーザ機器およびノードＢに配置することができる。ユーザ機器側では、ＭＡＣ−ｅｕは、上位レイヤデータ（例えば、ＭＡＣ−ｄ）をその新しい拡張トランスポートチャネルに多重化するとともにＨＡＲＱプロトコル送信エンティティを動作させる新しいタスクを実行する。
【００２０】
ユーザ機器におけるＥ−ＤＣＨ  ＭＡＣ構成
図４は、ユーザ機器側での典型的なＥ−ＤＣＨ  ＭＡＣ構成全体を示す。新しいＭＡＣ機能エンティティつまりＭＡＣ−ｅｕ５０３がＲｅｌ／９９／４／５のＭＡＣ構成に追加される。ＭＡＣ−ｅｕ５０３エンティティは図５により詳細に示される。
【００２１】
ユーザ機器からノードＢに送信されるべきデータパケットを搬送するＭ個の異なるデータフロー（ＭＡＣ−ｄ）が存在する。これらのデータフローは、異なるＱｏＳ（サービス品質）、例えば、遅延および誤りについての要件を有してもよく、ＨＡＲＱインスタンスの異なる構造を必要とし得る。従って、データパケットは、異なる優先度キューに記憶され得る。ユーザ機器およびボードＢにそれぞれ位置するＨＡＲＱ送受信エンティティのセットはＨＡＲＱ処理と称される。スケジューラは、異なる優先度キューにＨＡＲＱ処理を割り当てる際にＱｏＳパラメータを考慮する。ＭＡＣ−ｅｕエンティティは、レイヤ１シグナリングを介してノードＢ（ネットワーク側）からスケジューリング情報を受信する。
【００２２】
ＵＴＲＡＮにおけるＥ−ＤＣＨ  ＭＡＣ構成
ソフトハンドオーバ動作では、ＵＴＲＡＮ側のＥ−ＤＣＨ  ＭＡＣ構成におけるＭＡＣ−ｅｕエンティティはノードＢ（ＭＡＣ−ｅｕｂ）およびＳ−ＲＮＣ（ＭＡＣ−ｅｕｒ）にわたって分配される。ノードＢ内のスケジューラは、アクティブユーザを選択し、命令されたレート、提示されたレート、または、送信に許可されるＴＣＦＳ（トランスポートフォーマットコンビネーションセット）のサブセットにアクティブユーザ（ＵＥ）を制限するＴＦＣ（トランスポートフォーマットコンビネーション）閾値を決定しシグナリングすることで、レート制御を実行する。
【００２３】
各ＭＡＣ−ｅｕエンティティが一つのユーザ（ＵＥ）に対応する。図６では、ノードＢのＭＡＣ−ｅｕ構成がより詳細に示される。各ＨＡＲＱ受信器エンティティには、未着の（outstanding）再送からのパケットのビットを合成するために一定量または一定領域のソフトバッファメモリが割り当てられることに注意する。一旦パケットの受信が成功すると、パケットは、上位レイヤへの順番通りの配信（in-sequence delivery）を提供する並べ替えバッファに送られる。記載した実施態様によると、ソフトハンドオーバ中、並べ替えバッファはＳ−ＲＮＣに存在する（http://www.3gpp.orgから入手可能な非特許文献５参照）。図７では、対応するユーザ（ＵＥ）の並べ替えバッファを備えるＳ−ＲＮＣ  ＭＡＣ−ｅｕ構成が示される。並べ替えバッファの数は、ユーザ機器側の対応するＭＡＣ−ｅｕエンティティにおけるデータフローの数に等しい。データおよび制御情報は、ソフトハンドオーバ中、アクティブセット内の全てのノードＢからＳ−ＲＮＣに送られる。
【００２４】
必要なソフトバッファサイズが使用ＨＡＲＱ方式に依存すること、例えば、増加冗長性（ＩＲ）を用いるＨＡＲＱ方式がチェイス合成（ＣＣ）を用いるものよりも多くのソフトバファを必要とすることに注意する。
【００２５】
Ｅ−ＤＣＨシグナリング
特定の方式の動作に必要なＥ−ＤＣＨに関連する制御シグナリングは、アップリンクおよびダウンリンクのシグナリングを含む。シグナリングは、考慮されるアップリンクエンハンスメントに依存する。
【００２６】
ノードＢ制御スケジューリング（例えば、ノードＢ制御タイムアンドレートスケジューリング（time and rate scheduling））を可能にするために、ユーザ機器は、データをノードＢに送信するためにアップリンクで何らかの要求メッセージを送らなくてはならない。要求メッセージは、ユーザ機器の状態情報、例えば、バッファ状態、電力状態、チャネル品質推定値等を含む。要求メッセージは、以下ではスケジューリング情報（ＳＩ）と称される。当該情報に基づいて、ノードＢはノイズ上昇を推定し、ＵＥをスケジューリングすることができる。ノードＢからＵＥにダウンリンクで許可メッセージが送られると、ノードＢはＵＥが送ることができる最大データレートおよび時間間隔のＴＦＣＳをＵＥに割り当てる。許可メッセージは、以下ではスケジューリング割り当て（ＳＡ）と称される。
【００２７】
アップリンクでは、ユーザ機器は、送信パケットを正しく復号化するために必要なレートインジケータメッセージ情報、例えば、トランスポートブロックサイズ（ＴＢＳ）、変調符号化方式（ＭＣＳ）レベル等をノードＢにシグナリングしなくてはならない。更に、ＨＡＲＱが使用される場合、ユーザ機器は、ＨＡＲＱに関連する制御情報をシグナリングしなくてはならない（例えば、ハイブリッドＡＲＱ処理番号、ＵＭＴＳリリース５では新規データインジケータ（ＮＤＩ：New Data Indicator）と称されるＨＡＲＱシーケンス番号、冗長バージョン（ＲＶ）、レートマッチングパラメータ等）。
【００２８】
拡張アップリンク個別チャネル（Ｅ−ＤＣＨ）で送信されたパケットの受信および復号化の後、ノードＢは、ダウンリンクでそれぞれＡＣＫ／ＮＡＫを送ることで送信が成功したか否かをユーザ機器に通知しなくてはならない。
【００２９】
Ｅ−ＤＣＨ  −  ノードＢ制御スケジューリング
ノードＢ制御スケジューリングは、アップリンクにおいてより高いセルスループットを提供し、受信可能範囲を拡大させるために、アップリンク電力リソースのより効率的な使用を可能にすることが見越される、Ｅ−ＤＣＨの技術的特徴の一つである。「ノードＢ制御スケジューリング」なる用語は、ＲＮＣによって設定される制限内で、ＵＥが好適なＴＦＣを選択することができるＴＦＣのセットをノードＢが制御する可能性を意味する。ＵＥが一つのＴＦＣを自発的に選択するＴＦＣのセットは、以下では「ノードＢ制御ＴＦＣサブセット」と呼ばれる。「ノードＢ制御ＴＦＣサブセット」は、図８に示されるように、ＲＮＣによって設定されるＴＦＣＳのサブセットである。ＵＥは、リリース５  ＴＦＣ選択アルゴリズムを用いて「ノードＢ制御ＴＦＣサブセット」から好適なＴＦＣを選択する。十分な電力マージンおよび十分な利用可能なデータがあり、且つ、ＴＦＣがブロックされた状態でないことを前提として、「ノードＢ制御ＴＦＣサブセット」内のどのＴＦＣがＵＥによって選択されてもよい。Ｅ−ＤＣＨについてのＵＥ送信をスケジューリングするために二つの基本的なアプローチがある。全てのスケジューリング方式は、ＵＥにおけるＴＦＣ選択の管理として見ることができ、ノードＢが当該処理および関連するシグナリング要件にどのように影響を及ぼし得るかという点が主に異なる。
【００３０】
ノードＢ制御レートスケジューリング
このスケジューリングアプローチの原理は、高速ＴＦＣＳ制限制御によってユーザ機器のトランスポートフォーマットコンビネーション選択を制御し制限することをノードＢにさせることである。ノードＢは、ユーザ機器が好適なトランスポートフォーマットコンビネーションを自発的に選択することができる「ノードＢ制御サブセット」を、レイヤ１シグナリングによって拡大／縮小することができる。ノードＢ制御レートスケジューリング（rate scheduling）では、全てのアップリンク送信は並行に行われ得るが、ノードＢにおけるノイズ上昇閾値を超えない十分に低いレートで行われる。それにより、異なるユーザ機器からの送信が時間的に重複し得る。レートスケジューリングでは、ノードＢは、アップリンクＴＦＣＳだけを制限することができ、ＵＥがＥ−ＤＣＨ上でデータを送信する時間については制御しない。同時送信するＵＥの数をノードＢが認識しないため、セルにおけるアップリンクノイズ上昇の精確な制御が可能ではない（http://www.3gpp.orgから入手可能な非特許文献３のバージョン１．０．０参照）。
【００３１】
ノードＢとユーザ機器との間のレイヤ１シグナリングによるトランスポートフォーマットコンビネーション制御を可能にするために二つの新しいレイヤ１メッセージが導入される。レート要求（ＲＲ）は、ユーザ機器からノードＢにアップリンクで送られる。ＲＲにより、ユーザ機器は、「ノード制御ＴＦＣサブセット」を一ステップ拡大／縮小するようノードＢに要求することができる。更に、レート許可（ＲＧ）は、ノードＢからユーザ機器にダウンリンクで送られる。ＲＧにより、ノードＢは、例えばアップ／ダウンコマンドを送ることで「ノードＢ制御ＴＦＣサブセット」を変更することができる。新しい「ノードＢ制御ＴＦＣサブセット」は、次に更新されるまで有効である。
【００３２】
ノードＢ制御タイムアンドレートスケジューリング
ノードＢ制御タイムアンドレートスケジューリングの基本原理は、ノードＢにおける所望の合計ノイズ上昇を超えないように、所与の時間にユーザ機器のサブセットが送信することを（理論的にのみ）可能にすることにある。「ノードＢ制御ＴＦＣサブセット」を一ステップ拡大／縮小するためにアップ／ダウンコマンドを送る代わりに、ノードＢは、明示的なシグナリングを通じて、例えばＴＦＣＳインジケータ（ポインタでもよい）を送ることで、トランスポートフォーマットコンビネーションサブセットを任意の許可された値に更新することができる。
【００３３】
更に、ノードＢはユーザ機器が送信することを許可される開始時間および有効期間を設定することができる。異なるユーザ機器に対する「ノードＢ制御ＴＦＣサブセット」の更新は、多数のユーザ機器からの送信が時間的に重複することを可能な限り回避するために、スケジューラによって調整することができる。ＣＤＭＡシステムのアップリンクにおいて、同時送信は常に互いと干渉し合う。従って、Ｅ−ＤＣＨ上でデータを同時に送信するユーザ機器の数を制御することで、ノードＢは、セルにおけるアップリンク干渉レベルをより精確に制御することができる。ノードＢのスケジューラは、例えば、ユーザ機器のバッファ状態、ユーザ機器の電力状態、およびノードＢにおける利用可能な全受信干渉電力（ＲｏＴ）マージン（interference Rise over Thermal margin）に基づいて、送信時間間隔（ＴＴＩ）当たり送信することが許可されるユーザ機器と、対応するＴＦＣＳインジケータとを決定することができる。
【００３４】
二つの新しいレイヤ１メッセージは、ノードＢ制御タイムアンドレートスケジューリングをサポートするために導入される。スケジューリング情報更新（ＳＩ）は、ユーザ機器からノードＢにアップリンクにおいて送ることができる。ユーザ機器がノードＢにスケジューリング要求を送る必要性があると判断すると（例えば、ユーザ機器のバッファで新規データが発生する）、ユーザ機器は必要なスケジューリング情報を送信する。このスケジューリング情報を用いて、ユーザ機器は、その状態、例えば、そのバッファ占有率および利用可能な送信電力に関する情報をノードＢに提供する。
【００３５】
スケジューリング割り当て（ＳＡ）は、ノードＢからユーザ機器にダウンリンクで送信することができる。スケジューリング要求を受信すると、ノードＢは、スケジューリング情報（ＳＩ）と、ノードＢでの利用可能なＲｏＴマージン等のパラメータとに基づいて、ユーザ機器をスケジューリングすることができる。ノードＢは、スケジューリング割り当て（ＳＡ）において、ＴＦＣＳインジケータ、並びにユーザ機器によって使用されるべき後続の送信の開始時間および有効期間をシグナリングすることができる。
【００３６】
ノードＢ制御タイムアンドレートスケジューリングは、前述したようなレートだけ制御されるスケジューリングと比べてより精確なＲｏＴ制御を提供する。しかしながら、ノードＢにおける干渉のより精確な制御は、レート制御スケジューリングと比べて、より多くのシグナリングオーバーヘッドおよびスケジューリング遅延（スケジューリング要求およびスケジューリング割り当てメッセージ）を費やすことにより得られる。
【００３７】
図９には、ノードＢ制御タイムアンドレートスケジューリングでの一般的なスケジューリング手順が示される。ユーザ機器がＥ−ＤＣＨでのデータの送信にスケジューリングされることを望むとき、最初にスケジューリング要求をノードＢに送る。ここでは、Ｔｐｒｏｐは、エアインタフェース上での伝搬時間を示す。スケジューリング要求の内容物は、例えば、ユーザ機器のバッファ状態および電力状態に関する情報（スケジューリング情報）である。スケジューリング要求を受信すると、ノードＢは得られた情報を処理して、スケジューリング割り当てを決定する。スケジューリングは、処理時間Ｔｓｃｈｅｄｕｌｅを必要とする。
【００３８】
ＴＦＣＳインジケータ並びに対応する送信開始時間および有効期間を含むスケジューリング割り当ては、ダウンリンクにおいてユーザ機器に送信することができる。スケジューリング割り当てを受信すると、ユーザ機器は、割り当てられた送信時間間隔においてＥ−ＤＣＨ上で送信を開始する。
【００３９】
Ｅ−ＤＣＨは、アップリンクでのユーザ機器による他の送信の混合物と共存しなくてはならないため、レートスケジューリングまたはタイムアンドレートスケジューリングのいずれか一方の使用は、利用可能な電力によって制限され得る。異なるスケジューリングモードが共存することにより、異なるトラフィックタイプを提供する際に柔軟性を与えることができる。例えば、少量のデータおよび／またはＴＣＰのＡＣＫ／ＮＡＣＫのようなより高い優先度を有するトラフィックは、タイムアンドレート制御スケジューリングを用いる場合と比べて、自発送信（autonomous transmission）を伴うレート制御モードだけを用いて送られ得る。このようなレート制御モードでは、より少ない待ち時間およびより小さいシグナリングオーバーヘッドを伴う。
【００４０】
Ｅ−ＤＣＨ  −  ハイブリッドＡＲＱ
ノードＢ制御ハイブリッドＡＲＱは、誤りのある受信データパケットの迅速な再送を可能にすることができる。ユーザ機器とノードＢとの間の高速再送は、上位レイヤの再送の回数と関連する遅延とを減少させることができ、それにより、エンドユーザが知覚する品質を改善することができる。
【００４１】
ＨＳＤＰＡのダウンリンクＨＳ−ＤＳＣＨに使用される方式同様に、多数のストップアンドウェイト（ＳＡＷ）ハイブリッドＡＲＱ処理を有するプロトコル構造が、Ｅ−ＤＣＨに使用されるが、アップリンクとダウンリンクとの間の差により動機付けられる適当な変更を必要とする（３ＧＰＰ  ＴＲ３５．８９６参照）。
【００４２】
ＮチャネルＳＡＷ方式は、Ｎ個の並行なＨＡＲＱ処理を含み、各処理はウィンドウサイズ１の選択再送ＡＲＱ（ＳＲ）に相当するストップアンドウェイト再送プロトコルとして機能する。ユーザ機器は各送信時間間隔において単一のＨＡＲＱ処理でのデータの送信しかできないと仮定される。
【００４３】
図１０には、Ｎ＝３のＨＡＲＱ処理を有する典型的なＮチャネルＳＡＷプロトコルが例示される。ユーザ機器は、ノードＢにアップリンクのＥ−ＤＣＨにおいてデータパケット１を送信している。この送信は、第１のＨＡＲＱ処理で行われる。エアインタフェースの伝搬遅延Ｔｐｒｏｐの後、ノードＢはパケットを受信し、復調および復号化を開始する。復号化が成功したか否かによって、ＡＣＫ／ＮＡＣＫがユーザ機器にダウンリンクで送られる。
【００４４】
本実施例では、ノードＢは、ノードＢにおいて受信パケットを復号化し処理するのに必要な時間を示すＴＮＢｐｒｏｃｅｓｓ後にＡＣＫをユーザ機器に送る。ダウンリンクでのフィードバックに基づいて、ユーザ機器は、データパケットを再送するか、新規データパケットを送信するかを決定する。同じＨＡＲＱ処理において応答（ＡＣＫ）を受信して次の送信時間間隔を送信する間にユーザ機器に利用可能な処理時間はＴＵＥｐｒｏｃｅｓｓと称される。
【００４５】
本実施例では、ユーザ機器は、ＡＣＫを受信するとデータパケット４を送信する。ラウンドトリップタイム（ＲＴＴ）は、アップリンクにおけるデータパケットの送信と、当該パケットに対するＡＣＫ／ＮＡＣＫフィードバックを受信した際の、当該パケットの再送または新規データパケットの送信との間の時間を示す。利用可能なＨＡＲＱ処理の欠如による遊休期間（idle period）を回避するために、ＨＡＲＱ処理の数ＮがＨＡＲＱラウンドトリップタイム（ＲＴＴ）と一致することが必要である。
【００４６】
既知および未知の送信タイミングを考慮して、同期および非同期のデータ送信を区別することができる。非同期データ送信を伴う再送プロトコルでは、データブロックまたはＨＡＲＱ処理を識別するために明示的なシグナリングが用いられ、同期データ送信を伴うプロトコルでは、データブロックまたはＨＡＲＱ処理は、データブロックが受信された時点に基づいて識別される。
【００４７】
ＵＥは、例えば、再送の場合にデータパケットの正しい軟合成を確実にするために、非同期送信を伴うプロトコルにおいて明示的にＨＡＲＱ処理番号をシグナリングしなくてはならない。非同期データ送信を伴うＨＡＲＱ再送プロトコルの利点は、システムに与えられる柔軟性である。ノードＢのスケジューラは、例えば、セルにおける干渉状況と、対応するＥ−ＤＣＨサービスの優先度またはＱｏＳパラメータのようなパラメータとに基づいて、Ｅ−ＤＣＨでのデータ送信のための期間およびＨＡＲＱ処理をＵＥに割り当てることができる。
【００４８】
非同期ＨＡＲＱフィードバック情報を有する再送プロトコルは、シーケンス番号（ＳＮ）、またはフィードバックメッセージの他の明示的な識別情報を用いる一方、同期ＨＡＲＱフィードバック情報を有するプロトコルは、例えばＨＳＤＰＡにおけるように、フィードバックメッセージの受信時間に基づいてフィードバックメッセージを識別する。フィードバックは、ＨＳ−ＤＳＣＨを受信して一定の時刻が経過した後にＨＳ−ＤＰＣＣＨで送られてもよい（http://www.3gpp.orgから入手可能な非特許文献６参照）。
【００４９】
前述したとおり、非同期データ送信を伴う再送プロトコルにより、ノードＢは、スケジューリングについて更なる柔軟性を有することができる。スケジューリング割り当ては、例えば、ＵＥから送られるスケジューリング情報、およびセルにおける干渉状況に基づくことができる。ノードＢのスケジューラによるアップリンク干渉の更なる制御を可能にするために、再送に配慮した様々なスケジューリングアプローチを考慮しなくてはならない（http://www.3gpp.orgから入手可能な例えば非特許文献７参照）。
【００５０】
出願人による同時係属欧州出願「同期再送を伴うＨＡＲＱプロトコル」（２００３年１２月１９日出願の特許文献１）に開示されている非同期アップリンクで同期再送を伴う再送プロトコルは、一つのアプローチであり、それにより、スケジューラはセルにおけるノイズ上昇を一層制御することができる。Ｅ−ＤＣＨでの新規データパケットの送信は、スケジューリングの柔軟性という利点を維持するために非同期により行われるが、再送はＮＡＣＫを受信してから所定時刻後に行われる。同期再送を伴う再送プロトコルの利点は、使用されるスケジューリングモードにも依存し得る。
【００５１】
レート制御スケジューリングモード（rate controlled scheduling mode）では、ノードＢはＴＦＣＳだけを制御することができ、ＵＥはアップリンク送信に対する適当なＴＦＣを選択する。ノードＢはＵＥの送信時間を制御することができない。また、ＵＥの再送タイミングについての制約もない。同期再送を伴う再送プロトコルを用いると、ノードＢは、ＵＥがいつ再送を送るかを正確に知ることができ、従って、アップリンクリソースを確保することができる。後者により、ノードＢは、セルにおけるアップリンク干渉をより精確に制御できるようになる。
【００５２】
タイムアンドレート制御スケジューリングモード（time and rate controlled scheduling mode）では、ノードＢは、データパケットの初回送信、およびそれに関連する再送をスケジューリングする。再送が同期式に送られる場合、ノードＢは、再送をスケジューリングする必要をなくすことができるため、シグナリングオーバーヘッド、およびノードＢ内のスケジューラの処理時間が著しく削減される。図１１には、タイムアンドレート制御スケジューリングモードにおけるＥ−ＤＣＨでの送信が示される。再送は、ＮＡＣＫを受信してからＴｓｙｎｃ後に送られる。従って、ＵＥは、再送のためにスケジューリング割り当て（ＳＡ）の許可チャネルを監視する必要がない。
【００５３】
このシナリオでは再送が常にＮＡＣＫを受信してから送られる（Ｔｓｙｎｃ）ため、ＵＥ側では遅延による利点が得られる。再送もスケジューリングされる場合、ノードＢは保留中の再送をスケジューリングする代わりに他のＵＥに送信リソースを割り当てることができる。
【００５４】
前述したとおり、非同期データ送信および所定時刻後の同期再送を伴うＨＡＲＱ再送プロトコルは、例えばＥ−ＤＣＨでの送信のために想定される。
【００５５】
同期再送を伴う再送プロトコルから得られる思想および恩恵は、前項で説明している。しかしながら、幾つかの状況では、同期再送は問題を生ずる場合がある。
【００５６】
セルにおける干渉状況が膨大なトラフィックにより危機的な状態となると、多くの送信が誤って受信される可能性が高い。従って、幾つかの同時Ｅ−ＤＣＨ送信は、結果として対応する数の再送を生ずる。同期再送を伴うＨＡＲＱプロトコルを用いる際、ノードＢは再送タイミングを制御できないため、これは深刻な問題を引き起こし得る。ＣＤＭＡシステムのアップリンクでは同時送信は互いと干渉し合うため、特定の時刻に多数の再送があるとセル内のアップリンク干渉が増大する。
【００５７】
更に、ＵＥは、パケットの送信を成功させるために、セル内の大きな干渉の結果として、再送の電力を増大することがある。これは、アップリンクのノイズ上昇を更に増大させる。システムスループットを最大化するためには、最大セル負荷の近くで動作することがＣＤＭＡにおいて有利である。しかしながら、これは、干渉の高速変化中に輻輳および不安定性を生じさせ得る。
【００５８】
別のシナリオでは、高干渉レベルにより再送と並行に送ることができない高優先度データを他のＵＥが送信しなくてはならない状況もある。
【特許文献１】欧州特許出願第０３０２９４１１．０号
【非特許文献１】D. Chase, "Code combining: A maximum-likelihood decoding approach for combining an arbitrary number of noisy packets", IEEE Transactions on Communications, Col. COM-33, pages 385-393, May 1985
【非特許文献２】3GPP TR 25.401: "UTRAN Overall Description"
【非特許文献３】3GPP TR 25.896: "Feasibility Study for Enhanced Uplink for UTRA FDD (Release 6)"
【非特許文献４】3GPP TSG RAN WG1, meeting #31, Tdoc R01-030284, "Scheduled and Autonomous Mode Operation for the Enhanced Uplink"
【非特許文献５】3GPP TSG RAN WG1, meeting #31, "HARQ Structure", Tdoc R1-030247
【非特許文献６】3GPP TR 25.848: "Physical Layer Aspects of High Speed Downlink Packet Access", version 5.0.0
【非特許文献７】3GPP TSG TAN WG#35, "Relationship between scheduling and HARQ", Tdoc R1-031224
【発明の開示】
【００５９】
本発明は、前述の問題を少なくとも一つ克服するために再送モードの制御を提供することを目的とする。
【００６０】
この目的は、独立請求項の内容によって解決される。本発明の有利な実施の形態は従属請求項の内容である。
【００６１】
本発明の一態様によると、干渉が危機的な状況における同期再送の問題は、ＵＥにダウンリンクにおいて送られるノードＢからの追加的なフィードバック情報により緩和される。再送のスケジューリングに関するこのフィードバック情報は、ＨＡＲＱフィードバック情報と統合され得る。
【００６２】
本発明の実施の形態によると、データチャネルを介して送信エンティティから受信エンティティにデータを再送するためにＨＡＲＱプロトコル等の再送プロトコルが使用され得る無線通信システムにおいて再送モードを制御する方法が提供される。本実施の形態によると、受信エンティティは送信エンティティからデータパケットを受信することができ、データパケットの受信に成功したか否かを判断することができる。例えば、セル内の干渉が危機的な状況では、異なるＵＥからの多数のデータパケットの受信に成功しない可能性が高い。これらのＵＥが同期再送を行う場合、セルにおいて比較的高い干渉レベルが再送の送信時に生ずるであろう。
【００６３】
データパケットの受信に成功していないと判断される場合、受信エンティティは、干渉レベルが所定の閾値干渉レベル以上か否かを判断することができる。例えば、アップリン干渉レベルが測定され得る。
【００６４】
次に、フィードバックメッセージを送信エンティティに送信することができる。このフィードバックメッセージは、判断される干渉レベルが所定の閾値干渉レベル以上である場合に、受信データパケットの再送データパケットがスケジューリングされることを送信エンティティに通知する。判断される干渉レベルが所定の閾値干渉レベル未満である場合、フィードバックメッセージは、フィードバックメッセージを受信してから所定期間後に受信データパケットの再送データパケットを送信することを送信エンティティに通知する。
【００６５】
より具体的には、受信エンティティは、送信エンティティのデータ送信をスケジューリングすることができる。再送データパケットは、受信データパケットの再送でもよい。または、再送データパケットは、一つ以上の再送データパケットを以前に受信に失敗した受信データパケットと軟合成した後に復号化することが可能となるようなより高いレベルの冗長性をその受信データパケットに与える情報だけを有するものであってもよい。
【００６６】
別の実施の形態によると、受信エンティティは、その送信エンティティを含む複数の送信エンティティのデータ送信をスケジューリングすることができる。また、干渉レベルが所定の閾値干渉レベル以上である場合、受信エンティティは、複数の送信エンティティからの新規データ送信のスケジューリングを停止することができる。本実施の形態は、送信エンティティに対するタイムアンドレート制御スケジューリングモードに特に適用可能である。
【００６７】
干渉レベルが所定の干渉レベル未満に低下すると、受信エンティティによるスケジューリングは継続可能である。
【００６８】
上述した通り、「ノードＢ制御ＴＦＣＳ」を制御することでノードＢ制御スケジューリングを実行することができる。本発明の別の実施の形態によると、受信エンティティは、同様のメカニズムを用いてアップリンク干渉を減少させることができる。受信エンティティは、送信エンティティの送信フォーマットコンビネーションサブセットを制御することができ、ここで、この送信フォーマットコンビネーションは、とりわけ、送信エンティティが送信することができるデータ量を決定するものであり、受信エンティティは、判断される干渉レベルが所定の閾値干渉レベル以上である場合には、送信エンティティの送信フォーマットコンビネーションサブセットを制限することができる。本実施の形態は、レート制御スケジューリングモードにおける送信に特に適している。
【００６９】
本発明の更なる実施の形態によると、受信エンティティは、再送がスケジューリングされることをフィードバックメッセージが示す場合、送信エンティティへの受信データパケットの再送のためのリソースを割り当てるためにスケジューリング割り当てを送信エンティティに送信することができる。スケジューリング割り当ては、例えば、スケジューリング関連制御チャネル（scheduling related control channel）を介して送信することができる。送信エンティティは、フィードバックメッセージに基づいて、干渉レベルが閾値より高いことを認識することができ、例えば所定の期間にわたって、自発的なデータ送信を行わず、またはスケジューリング要求も行わないようにすることができる。
【００７０】
本発明の更なる実施の形態では、受信エンティティは、データパケットの受信成功を示すフィードバックメッセージを、またはフィードバックメッセージを受信してから所定期間後に受信エンティティに再送データパケットを送信するように示すフィードバックメッセージを、送信エンティティに送信する。
【００７１】
送信エンティティは、スケジューリング関連制御チャネルを監視して、再送のためのスケジューリング割り当てを受信することができない場合もある。従って、送信エンティティは、受信エンティティにスケジューリング要求を発することができる。
【００７２】
従って、受信データパケットのためのスケジューリング要求は、フィードバックメッセージに応答して送信エンティティから受信することができ、受信エンティティは、スケジューリング要求に応答して受信データパケットの再送のためのスケジューリング割り当てを送信エンティティに送信することができる。更に、受信データパケットの再送は受信エンティティにて受信することができる。受信エンティティが、データパケットの受信成功を確認する肯定的フィードバックを送信エンティティに送信した場合、再送データパケットは、受信時に廃棄される。
【００７３】
更に、スケジューリング割り当ては、フィードバックメッセージを送信してから所定の時間間隔以内に送信することができる。この時間間隔は、例えばタイマにより制御することができる。
【００７４】
本実施の形態によると、本発明は、データパケットの受信成功を示すフィードバックメッセージを受信エンティティが送信したにもかかわらず、送信エンティティが、例えば送信誤りにより、受信失敗を示すフィードバックメッセージを受信して、この偽のフィードバックメッセージに応答して動作するといった問題に取り組む。また、否定的フィードバックであるＮＡＣＫが、干渉が危機的な状況における否定的フィードバックであるＮＡＣＫ−Ｓとして送信エンティティによって誤って解釈される場合に、本実施の形態は、この特定の問題を解決する解決策を提供することができる。
【００７５】
フィードバックメッセージを送信する方法は様々である。干渉レベルを考慮してフィードバックメッセージに導入される追加情報を、ＨＡＲＱフィードバック（ＡＣＫ／ＮＡＣＫ）と統合することができる。例えば、ＨＡＲＱフィードバックに対して、新しいフィードバックフォーマットであるＮＡＣＫ−Ｓを含む別の符号語を使用することができる（例えば下記の表を参照）。
【００７６】
統合されたフィードバック（ＡＣＫ／ＮＡＣＫ／ＮＡＣＫ−Ｓ）を、例えばスケジューリング制御シグナリングのような他のシグナリング情報と統合することもできる。後者の場合、統合されたフィードバックおよび他のシグナリング情報を一緒に符号化することができる。
【００７７】
別の代替例では、この追加フィードバックを、ＨＡＲＱフィードバック（ＡＣＫ／ＮＡＣＫ）とは異なるＯＶＳＦ符号、即ちチャネルでシグナリングすることができる。
【００７８】
それにより、データパケットの受信成功または失敗を示すフィードバックメッセージは、一つの制御チャネルを介して送信され得る。更に、フィードバックメッセージ内の情報を、スケジューリング関連制御情報と統合することができ、一緒に符号化することができる。
【００７９】
代替的には、本発明の更なる実施の形態は、セル内の干渉レベルに依存して否定的フィードバックメッセージを拡散する複数の異なる拡散符号、例えばＯＶＳＦ符号を使用することを提案する。それにより、フィードバックメッセージを、フィードバックメッセージによって示されるフィードバックモードに応答して別のＯＶＳＦ符号を用いて拡散することができる。再送がスケジューリングされることを示す追加フィードバックメッセージ（ＮＡＣＫ−Ｓ）を、ＨＡＲＱプロトコルフィードバック情報（ＡＣＫ、ＮＡＣＫ）とは違う拡散符号、例えばＯＶＳＦ符号を用いてシグナリングすることができる。
【００８０】
別の実施の形態によると、本発明は、データチャネルを介して送信エンティティから受信エンティティにデータを再送するためにＨＡＲＱのような再送プロトコルを使用することができる無線通信システムにおいて再送モードを制御する方法を提供する。
【００８１】
この方法によると、送信エンティティは、受信エンティティにデータパケットを送信することができ、受信エンティティからフィードバックメッセージを受信することができ、ここで、このフィードバックメッセージは、送信データパケットの再送データパケットがスケジューリングされるか否か、またはフィードバックメッセージを受信してから所定期間後に送信データパケットの再送データパケットを受信エンティティに送信するか否かを示す。フィードバックメッセージに示される選択対象に従って、送信エンティティは、再送処理を停止することができ、スケジューリング割り当てメッセージのためのスケジューリング関連制御チャネルを監視し、またはフィードバックメッセージを受信してから所定期間後に受信エンティティに再送データパケットを送信することができる。
【００８２】
本発明の更なる実施の形態では、再送がスケジューリングされることをフィードバックメッセージが示す場合、送信データパケットに関する再送のためのスケジューリング割り当てのスケジューリング関連制御チャネルを、送信エンティティによって監視することができる。
【００８３】
別の実施の形態によると、受信エンティティにおける消費電力を低減させるために、スケジューリング関連制御チャネルを、フィードバックメッセージを受信してから所定の時間間隔にわたって監視することができる。当然のことながら、例えば、消費電力が問題でない場合、この制御チャネルは常に監視され得る。
【００８４】
更なる実施の形態では、送信エンティティは、送信データパケットの再送に関するスケジューリング割り当てを受信することができる。
【００８５】
更に、例えばスケジューリング割り当てに応答して、送信エンティティは、受信したスケジューリング割り当てに示された時点に送信データパケットを受信エンティティに再送することができる。
【００８６】
別の実施の形態によると、送信エンティティは、受信したフィードバックメッセージに示される場合、フィードバックメッセージを受信してから所定期間後に受信エンティティに再送データパケットを送信することができる。
【００８７】
本発明の実施の形態では、再送がスケジューリングされることを示すフィードバックメッセージを受信してから所定の時間間隔内にスケジューリング割り当てが受信されない場合、送信エンティティは、受信エンティティにスケジューリング要求を送信することができる。スケジューリング要求の送信に応答して、送信エンティティは、受信エンティティからスケジューリング関連制御チャネルを介してスケジューリング割り当てを受信することができ、スケジューリング割り当てに示された時点に送信データパケットを受信エンティティに再送することができる。
【００８８】
本発明の別の実施の形態では、フィードバックメッセージがデータパケットの受信成功を示す場合に、送信エンティティは、送信データパケットのためのスケジューリング割り当てのスケジューリング関連制御チャネルを監視することが提案される。送信データパケットのためのスケジューリング割り当てを受信すると、送信エンティティは、スケジューリング割り当てに示された時点に送信データパケットを受信エンティティに再送する。
【００８９】
更なる実施の形態では、送信エンティティは、送信データパケットの再送データパケットがスケジューリングされることを示すフィードバックメッセージを受信すると、データの自発送信またはスケジューリング要求、即ち、受信エンティティによってリソースが送信エンティティに明示的に割り当てられていない送信を、所定の時間間隔にわたって、または受信エンティティによって示される期間にわたって停止する。
【００９０】
更に、本発明は、データチャネルを介して移動端末から基地局にデータを再送するためにＨＡＲＱ再送プロトコルが使用される無線通信システムにおける基地局を提供する。本実施の形態によると、基地局は、移動端末からデータパケットを受信する受信手段と、受信データパケットの受信に成功したか否かを判断する処理手段とを備えることができ、処理手段は、データパケットの受信に成功していないと判断した場合、干渉レベルが所定の閾値干渉レベル以上であるか否かを判断するよう構成され得る。更なる実施の形態によると、再送をスケジューリングするか否か、または同期送信を続けるか否かを判断するための指標として、予測される再送回数が考慮され得る。
【００９１】
基地局は、処理手段がデータパケットの受信に成功していないが判断した場合に、移動端末にフィードバックメッセージを送信する送信手段を更に備えることができ、このフィードバックメッセージは、判断される干渉レベルが所定の閾値以上である場合、再送がスケジューリングされることを移動端末に示し、また、このフィードバックメッセージは、判断される干渉レベルが所定の閾値干渉レベル未満である場合、フィードバックメッセージを受信してから所定期間後に基地局に再送データパケットを送信することを移動端末に示すものである。
【００９２】
本発明の別の実施の形態では、受信エンティティに関連する上述の様々な実施の形態で説明した、再送モードを制御する方法を実行するよう構成される基地局が提供される。
【００９３】
本発明の別の実施の形態は、データチャネルを介して移動端末から基地局にデータを再送するためにＨＡＲＱ再送プロトコルが使用される無線通信システムにおける移動端末を提供する。移動端末は、受信エンティティにデータパケットを送信する送信手段と、受信エンティティからフィードバックメッセージを受信する受信手段と、再送がスケジューリングされるか否か、または、フィードバックメッセージを受信してから所定期間後に受信エンティティに再送データパケットを送信することをフィードバックメッセージが示すか否かを判断する処理手段と、を備えることができる。
【００９４】
送信手段は、フィードバックメッセージを受信してから所定期間後に送信データパケットの再送データパケットを受信エンティティに送信するよう構成される。
【００９５】
本実施の形態によると、送信手段は、フィードバックメッセージに応答して動作する。
【００９６】
本発明の別の実施の形態は、上述の再送モードを制御し且つ送信エンティティに関連する様々な方法のいずれかに参画するよう構成される移動端末を提供する。
【００９７】
更なる実施の形態では、本発明は、データチャネルを介して移動端末から基地局にデータを再送するためにＨＡＲＱ再送プロトコルが使用される無線通信システムを提供する。本実施の形態によると、システムは、上述の少なくとも一つの基地局と、少なくとも一つの移動端末とを備える。
【発明を実施するための最良の形態】
【００９８】
以下では、本発明を添付の図面を参照してより詳細に説明する。図中、同様のまたは対応する細部には同じ参照番号が付与される。
【００９９】
前述の通り、本発明の一態様によると、干渉が危機的な状況における同期再送の問題は、ノードＢからダウンリンクにおいてＵＥに送られる追加フィードバック情報を用いることで緩和することができる。
【０１００】
追加フィードバック情報は、例えば、誤りのある受信データパケットの（再）スケジューリングを示す否定応答の形態、ＮＡＣＫ−Ｓ（ｃｈｅｄｕｌｅ）で送信され得る。ノードＢでデータパケットが誤って受信され、且つ、セル内のアップリンク干渉状況が例えば膨大なトラフィックにより危機的である場合、この新しいフィードバック情報ＮＡＣＫ−Ｓを、対応するＵＥにノードＢからダウンリンクでシグナリングすることができる。ＮＡＣＫ−Ｓは、否定的フィードバックを受信してから所定の時間Ｔｓｙｎｃ後にデータパケットの再送を送らずに（同期再送）、スケジューリング割り当てのスケジューリング関連ダウンリンク制御チャネル（スケジューリング許可チャネル）を監視するようＵＥに通知する。
【０１０１】
それにより、ノードＢからの否定的フィードバックに応答して所定の時間間隔後に同期して再送を送る代わりに、ＵＥは、受信に失敗したデータパケットに対して、ＵＥにいつ再送を行うかを示すスケジューリング割り当てをスケジューリング関連制御チャネルで待つよう指示され得る。ＵＥは、再送のためのスケジューリング要求を送信する必要がないため、アップリンクにおけるシグナリングオーバーヘッドが削減され、スケジューリング遅延が縮小される。
【０１０２】
本発明の一実施の形態によると、ノードＢは以下のように動作することができる。パケットが誤って受信され、且つ、セル内のアップリンク干渉状況が危機的である場合、ＮＡＣＫ−Ｓがダウンリンクでシグナリングされ得る。従って、セル内のアップリンク干渉レベルは、例えば、ノードＢでデータパケットが誤って受信されたこと応答して測定される、あるいは、ノードＢによって継続的に監視されてもよい。ＵＥにフィードバック情報を供給するフィードバックメッセージＮＡＣＫ−Ｓは、ＮＡＣＫを受信してからＴｓｙｎｃ後にデータパケットの再送を送らずに、スケジューリング割り当てメッセージを待つようＵＥに通知する。ノードＢは、後で、セル内のノイズ上昇状況が新しいデータトラフィックを可能にする時点に、再送をスケジューリングするのが最適である。
【０１０３】
ＵＥにＮＡＣＫ−Ｓを送ることに続いて、ノードＢは、タイムアンドレート制御モードでスケジューリングが実行される場合はＥ−ＤＣＨで新規データ送信のためにＵＥをスケジューリングすることを停止することができ、レート制御スケジューリングモードでは、ＵＥの自発送信によって生ずるアップリンク干渉を制限するために、「ノードＢ許可ＴＦＣサブセット（Node B allowed TFC Subset）」を制限してもよい。ＵＥの新規データ送信のスケジューリングは、例えば、一旦アップリンク干渉レベルが所定の閾値干渉レベル未満に低下すると継続される。
【０１０４】
次に、本発明の一実施の形態によるＵＥの動作を説明する。一旦ＮＡＣＫ−ＳがＵＥによって受信されると、ＵＥは、そのデータパケットの再送を停止する。更に、再送のスケジューリング割り当てのスケジューリング関連ダウンリンク制御チャネルを監視する。
【０１０５】
ＵＥは、セルにおける現在のアップリンク干渉状況が危機的であることをフィードバック情報（ＮＡＣＫ−Ｓ）から知ることができる。従って、ＵＥは、スケジューリングがレート制御モードで実行される場合に自発的にＥ−ＤＣＨ上でデータを送信することが禁止され、または、新しいデータ送信のためのスケジューリング要求を送ることが禁止される。
【０１０６】
図１２には、ＮＡＣＫ−Ｓのシグナリング並びに対応するＵＥの挙動およびノードＢの挙動に関する実施例が示される。データパケット１の復号化が失敗すると、ノードＢはＮＡＣＫ−ＳをＵＥにシグナリングする。再送のためのスケジューリング割り当てメッセージは、スケジューリング関連制御チャネルの一例である許可チャネルでシグナリングされる。変数Ｔｓｃｈｅｄはスケジューラの処理時間を示す。
【０１０７】
ＮＡＣＫ−Ｓのシグナリングは、当該パケットの再送について同期モードから非同期モードに切り換えることをＵＥに通知するものである。即ち、データパケットが誤って受信されたことを示すフィードバックを受信してから所定期間が経過すると自発的に再送データを送信する（同期再送）のではなく、ＵＥは、再送データパケットのためのエアインタフェース上のリソースを許可するノードＢからのスケジューリング割り当てを待たなくてはならない（非同期再送）。ノードＢは、ＵＥの再送をスケジューリングする。従って、ノードＢは、いつ、また、どのＵＥがエアインタフェース上のリソースを許可されるかを判断する際に、アップリンク干渉情報を考慮して、スケジューリング割り当てを用いる。
【０１０８】
ダウンリンクにおいて追加フィードバック情報を導入することで、ノードＢはエアインタフェースリソースを一層制御することが可能となり、干渉が危機的な状況に対してより良好に反応してこれを克服することが可能となる。しかしながら、この制御は、例えばスケジューリング割り当てがＮＡＣＫ−Ｓに追加送信されるため、ダウンリンクにおいて追加的なシグナリングを費やすことにより得られる。更に、ＵＥは、スケジューリング割り当てのスケジューリング許可チャネルを監視しなくてはならない。これは、消費電力を増大させ得る。
【０１０９】
ＵＭＴＳの現在の標準化の進展では、２レベルのフィードバック、即ち、肯定応答と、否定応答（ＮＡＣＫ）とがダウンリンクにおけるＥ−ＤＣＨに対して予測される。１ビットの応答表示を符号化する一つの可能性は、繰り返し（repetition）符号化、例えば表示ビットの１０個のコピーである。ＮＡＣＫ−Ｓのための第３のレベルを導入することは、フィードバック情報の信頼性を低下させ得る。
【０１１０】
異なるメカニズムを、１ビットのＡＣＫ／ＮＡＣＫ信号を拡張するために使用することができる。例えば、ＡＣＫ／ＮＡＣＫ信号に対して異なる拡散符号、例えば直交可変拡散率（ＯＶＳＦ：Orthogonal Variable Spreading Factor）符号を用いるという解決策もあろう。この符号の使用は、シグナリングされてもよく、または予め定められてもよい。ＵＥは、ＨＡＲＱフィードバック情報を得るために全通りのＯＶＳＦ符号を監視し逆拡散することができる。
【０１１１】
本方式の別の具現化では、簡単な繰り返しを用いる代わりにＡＣＫ／ＮＡＣＫ信号に対して異なる符合語を用いることができる。ＡＣＫ／ＮＡＣＫシグナリングの符号語を追加的なＮＡＣＫ−Ｓ信号と用いる例を以下の表に示す。
【０１１２】
【表１】
2007522715.tif 000003
【０１１３】
ＡＣＫ／ＮＡＣＫ−Ｓ／ＮＡＣＫフィードバックを、ダウンリンクにおいて更なる制御信号、例えばスケジューリング関連制御シグナリングと同期して、送ることも可能である。この場合、制御情報は、一緒に符号化され得る。ターボ符号または畳み込み符号のような誤り訂正符号は、制御情報の符号化に適用することができる。
【０１１４】
次に、スケジューリング割り当てメッセージ送信のタイミングの特徴をより詳細に説明する。図１２に示すように、ノードＢはダウンリンクにおいてＮＡＣＫ−Ｓに加えてスケジューリング割り当て（ＳＡ）を送信する。ＮＡＣＫ−Ｓを受信すると、ＵＥは、ＳＡメッセージのスケジューリング関連制御チャネルを監視する。制御チャネルの監視に必要なＵＥの消費電力を最適化するために、ＳＡメッセージに対して特定のタイミングが定められる。
【０１１５】
図１３は、スケジューリング割り当てメッセージを送信するタイミングを示す。図１３に示す本発明の実施の形態では、ＴＳＡｍａｘは、ＮＡＣＫ−Ｓを受信してからＳＡメッセージの制御チャネルをＵＥが監視する最大期間を示す。ＵＥ側のタイマは、ＮＡＣＫ−Ｓが受信されてから直ぐに開始され、このときタイマはＴＳＡｍａｘに等しく設定される。ＵＥは、タイマが切れるまで制御チャネルを監視することができる。ＵＥにおけるタイマに応じて、ノードＢにおけるタイマはダウンリンクでＮＡＣＫ−Ｓがシグナリングされると直ぐに、即ち、ＵＥにＮＡＣＫ−Ｓが送信されると開始される。ノードＢは、タイマが切れない限りＵＥにＳＡメッセージを送ることができる。
【０１１６】
本発明の更なる実施の形態によると、ＵＥがスケジューリング関連制御チャネルを常に監視することも可能である。例えば、ＵＥで十分な電力リソースが利用可能である場合、当該動作が可能となる。
【０１１７】
本発明の更なる態様は、ＵＥにおいてフィードバック情報が誤って解釈された場合の提案ＨＡＲＱプロトコルの動作である。
【０１１８】
追加フィードバック情報（ＮＡＣＫ−Ｓ）がＨＡＲＱフィードバック信号（ＡＣＫ／ＮＡＣＫ）と統合された場合、ＵＥは、チャネルの歪みによりシグナリングされたフィードバック（ＡＣＫ／ＮＡＣＫ／ＮＡＣＫ−Ｓ）を誤って解釈し得る。以下に、ある特定のフィードバックが誤って解釈された場合のノードＢのＵＥ挙動を説明する。
【０１１９】
第１のシナリオでは、ノードＢは、正しく受信したデータパケットを復号化し、ＵＥにＡＣＫを送る。しかしながら、チャネル歪みにより、ＵＥはＮＡＣＫ−Ｓを受信する。本発明の上述の実施の形態で説明したように、ＵＥがＮＡＣＫ−Ｓを受信する場合、スケジューリング関連制御チャネルでスケジューリング割り当てメッセージを予想する。図中、ＴＳＡｍａｘは、ＮＡＣＫ−Ｓを受信してからＵＥが制御チャネルを監視する最大期間を示す。
【０１２０】
スケジューリング割り当てメッセージがＴＳＡｍａｘ内で受信されない場合、ＵＥは、劣悪なチャネル状態のためにスケジューリング割り当てを逃したか、ノードＢがＡＣＫまたはＮＡＣＫを送りフィードバックがＵＥによって誤って解釈されたかのいずれかである。従って、ＵＥは再びデータパケットに対するスケジューリング要求を送り、ノードＢはスケジューリング要求を受信すると送信をスケジューリングする。ＵＥがＡＣＫをＮＡＣＫ−Ｓと誤って解釈した場合、既に正しく受信されたデータパケットは再送され、受信時に受信側のノードＢによって廃棄されてもよい。
【０１２１】
次に、ＵＥがＮＡＣＫ−ＳをＡＣＫと誤って解釈する場合を考える。本実施の形態では、ノードＢは、受信データパケットの復号化が成功しなかった後にＵＥにＮＡＣＫ−Ｓをシグナリングする。例えば、エアインタフェース上での歪みにより、ＵＥはシグナリングされたＮＡＣＫ−Ｓの代わりにＡＣＫを受信する。通常、ＵＥは、ＡＣＫを受信すると新しいパケット送信に対するスケジューリング要求を送信する。従って、前の誤受信データパケットは、上位レイヤの再送により再送されなくてはならず、著しい遅延を生ずる。
【０１２２】
この問題を解決するために、ノードＢは、ＮＡＣＫ−ＳがＵＥにシグナリングされた場合に再送に対するスケジューリング割り当てメッセージを送信することができる。ＡＣＫが受信された場合でもＵＥがＴＳＡｍａｘにわたってスケジューリング関連制御チャネルを監視すると、ＵＥは制御チャネル上でスケジューリング割り当てメッセージを受信することで誤った解釈を検出することができる。それにより、ＵＥはスケジューリング割り当てを受信すると再送を送る。上位レイヤ再送は必要なくなるため、上位レイヤ再送によって生ずる遅延が回避される。しかしながら、このシナリオの場合、ＵＥは、誤った解釈を検出するためにＡＣＫを受信した後にスケジューリング割り当てメッセージに対する制御チャネルを監視し、それにより、ＵＥの消費電力が増加される。
【０１２３】
更なるシナリオでは、ＵＥによってＮＡＣＫがＮＡＣＫ−Ｓとして誤って解釈されることが考えられる。ノードＢがダウンリンクでＮＡＣＫをシグナリングし、ＵＥがＮＡＣＫ−Ｓを受信する場合、ＵＥ挙動は、ＡＣＫとＮＡＣＫ−Ｓの誤解の場合と同じになる。ＵＥは、ＴＳＡｍａｘ内でスケジューリング割り当てメッセージも受信しなかった後、再送に対するスケジューリング要求を再び送る。ノードＢはＵＥにＮＡＣＫをシグナリングしたため、再送はＮＡＣＫを受信してからＴｓｙｎｃ後に送られなくてはならない。ノードＢは、再送に対するリソースを確保し、更なるスケジューリング決定を考慮する。フィードバックの誤った解釈により、確保されたリソースが無駄になる場合もある。
【０１２４】
図１４は、本発明の実施の形態による再送モードを制御するフロー図を示す。ステップ１４０１において、移動端末は、ノードＢにデータパケットを送信する。ステップ１４０２において、ノードＢは、データパケットを受信し、ステップ１４０３において、データパケットの受信に成功したか否かを判断する。
【０１２５】
データパケットが誤りなしで受信された場合、ステップ１４０４においてノードＢは応答ＡＣＫを生成して送信し、受信の成功を移動端末に通知する。
【０１２６】
誤りがデータパケットの送信で生じた場合、ステップ１４０５においてノードＢは、セルにおける現在の干渉レベルが所定の閾値干渉レベル以上であるか否か、即ち、セル内の干渉が危機的な状態が存在するか否かを判断する。干渉レベルが閾値未満である場合、ステップ１４０６においてノードＢは移動端末にＮＡＣＫを送信し、パケットの受信が成功しなかったことを示し、データパケットの同期再送を要求する。
【０１２７】
ノードＢは、セルにおける干渉レベルが閾値以上であるとステップ１４０５において判断すると、ステップ１４０７においてＮＡＣＫ−Ｓが生成され移動端末に送信される。前述したとおり、ＮＡＣＫ−Ｓは移動端末にデータパケットの受信が成功でないことを示し、同期再送を提供する代わりに再送に対するリソースを許可するスケジューリング割り当てを待つよう移動端末に指示する。
【０１２８】
フローは、ブロック１４０８に進み、ノードＢは受信が成功しなかったデータパケットに関連する再送に対して同じリソースを許可し、それらが処理されおよび／または解釈されるブロックを示すために、移動局にスケジューリング割り当てを送信する。
【０１２９】
更に、高い干渉状況におけるフィードバックメッセージに続く送信スケジューリング割り当てがフィードバックメッセージを送信してからある時間間隔後に実行されることも可能である。この時間間隔は、例えば、ノードＢにおけるタイマによって制御されてもよい。対応するタイマがＵＥに設けられてもよく、関連する制御チャネルを監視する、または、スケジューリング割り当ての受信を予想する時間間隔を決定することを可能にする。割り当てがこの時間間隔内に受信されない場合、ＵＥは再送に対するスケジューリング要求を送信してもよい。これは、上述の通り、偽のフィードバックメッセージに対してプロトコルロバスト性を導入することに特に適用可能である。
【０１３０】
端末側では、送信したデータパケットに対するフィードバックメッセージはステップ１４０９において受信される。次に、ステップ１４１０において、移動端末は、どのタイプのフィードバックがノードＢによって送られたかを判断する。データパケットの受信がノードＢで成功した場合、ＡＣＫが受信され、移動端末はステップ１４１１においてノードＢに次のデータパケットを送信し続ける。
【０１３１】
データパケットの受信が成功せず、ノードＢのセルにおける干渉レベルが許容可能である場合、ノードＢはＮＡＣＫを発する。ＮＡＣＫが受信されたと移動端末が判断した場合、移動端末はフィードバックメッセージ（ＮＡＣＫ）を受信してから、即ち、ステップ１４１２において同期再送を提供してから所定の期間が経過した後に再送データパケットを送り続ける。
【０１３２】
データパケットの受信が成功でなく、ノードＢのセルにおける干渉レベルが許容可能でない場合、ノードＢはＮＡＣＫ−Ｓを発する。この場合、移動端末は、スケジューリング関連制御チャネルを監視し、ステップ１４１３において当該チャネルを介してデータパケットの再送に対するスケジューリング割り当てを受信する。スケジューリング割り当てから情報を抽出すると、ステップ１４１４において、移動端末は、ノードＢに再送を発する。
【０１３３】
図中の点状の矢印が移動端末とノードＢとの間のデータパケットまたはフィードバックメッセージの送信を示し、それらが処理および／または解釈されるブロックを示すことに注意する。
【０１３４】
本発明は、非同期データ送信および同期再送を伴うＨＡＲＱ再送プロトコルが想定される場合に特に適用可能である。更に、本発明は、ＨＡＲＱタイプＩＩおよびタイプＩＩＩ、即ち、データパケットの軟合成および再送を用いるＨＡＲＱに特に適用可能である。
【０１３５】
本発明が、基礎となるアクセスネットワーク構造、例えば、進化型ＵＴＲＡＮ構成またはリリース９９／４／５ＵＴＲＡＮ構成と無関係に用いることもできることに注意する。
【０１３６】
更に、本発明は、本発明の実施の形態によるＥ−ＤＣＨ上でのタイムアンドレートスケジューリングモードでのデータ送信に用いられることに注意する。
【図面の簡単な説明】
【０１３７】
【図１】ＵＭＴＳの高レベル構成を示す図
【図２】ＵＭＴＳ  Ｒ９９／４／５によるＵＴＲＡＮの構成を示す図
【図３】ドリフトおよびサービング無線サブシステムを示す図
【図４】ユーザ機器におけるＥ−ＤＣＨ  ＭＡＣ構成を示す図
【図５】ユーザ機器におけるＭＡＣ−ｅｕの構成を示す図
【図６】ノードＢにおけるＭＡＣ−ｅｕの構成を示す図
【図７】ＲＮＣにおけるＭＡＣ−ｅｕの構成を示す図
【図８】ノードＢ制御スケジューリングのトランスポートフォーマットコンビネーションセットを示す図
【図９】タイムアンドレート制御スケジューリングモードの動作を示す図
【図１０】３チャネルストップアンドウェイトＨＡＲＱプロトコルの動作を示す図
【図１１】同期再送を用いるＨＡＲＱプロトコルの送信タイミングを示す図
【図１２】本発明の実施の形態によるＮＡＣＫ−Ｓフィードバックメッセージのシグナリングおよび結果として生ずる送信を示す図
【図１３】本発明の実施の形態によるスケジューリング割り当てメッセージの送信のタイミングを示す図
【図１４】本発明の実施の形態による再送のタイミングを制御するためのフロー図
【図１】
2007522715.tif 000004
【図２】
2007522715.tif 000005
【図３】
2007522715.tif 000006
【図４】
2007522715.tif 000007
【図５】
2007522715.tif 000008
【図６】
2007522715.tif 000009
【図７】
2007522715.tif 000010
【図８】
2007522715.tif 000011
【図９】
2007522715.tif 000012
【図１０】
2007522715.tif 000013
【図１１】
2007522715.tif 000014
【図１２】
2007522715.tif 000015
【図１３】
2007522715.tif 000016
【図１４】
2007522715.tif 000017
【国際調査報告】
2007522715.tif 000018
2007522715.tif 000019
2007522715.tif 000020